(57)【要約】【課題】携帯電子機器から出力された音声を拡音可能な携帯電子機器用スタンドにおいて、効率よく製作することができるとともに、薄型化を図ることもできる構成を提供すること。【解決手段】携帯電子機器用スタンド１は、携帯電子機器１０が装着される機器装着部２が前面に形成された木製の板からなる第１部材６と、第１部材６の後面に接合された木製の板からなる第２部材７と、機器装着部２に形成された開口部５１ａ、５１ｂと前面に形成されたサウンドホール５４ａ、５４ｂとを繋ぐ２つの音波路（第１音波路５ａおよび第２音波路５ｂ）とを有している。携帯電子機器用スタンド１は、第１部材６と第２部材７との接合面に形成された溝５３ａ、５３ｂを第１音波路５ａおよび第２音波路５ｂの一部として利用する。溝５３ａ、５３ｂは、開口部５１ａ、５１ｂに連通する側からサウンドホール５４ａ、５４ｂと連通する側に向かって断面積が連続的に拡大している。【選択図】図２
2015109516.tif 000002
【特許請求の範囲】
【請求項１】
携帯電子機器が装着される機器装着部が前面に形成された第１部材と、
該第１部材の後面に接合された第２部材と、
前記機器装着部において携帯電子機器のスピーカーホールと重なる位置に形成された開口部、該開口部から前記第１部材を貫通して前記第１部材と前記第２部材との接合面まで到達した貫通穴、該貫通穴に連通し、前記第１部材の前記第２部材との接合面および前記第２部材の前記第１部材との接合面のうちの少なくとも一方に形成された溝、および前記溝の端部に連通し、前記第１部材の前記前面で開口するサウンドホールを備えた音波路と、
を有することを特徴とする携帯電子機器用スタンド。
【請求項２】
前記溝は、前記第２部材の前記第１部材との接合面に形成されていることを特徴とする請求項１に記載の携帯電子機器用スタンド。
【請求項３】
前記溝は、前記貫通穴と連通する側から前記サウンドホールと連通する側に向かって断面積が連続的に拡大していることを特徴とする請求項１または２に記載の携帯電子機器用スタンド。
【請求項４】
前記溝は、前記貫通穴と連通する側から前記サウンドホールと連通する側に向かって幅および深さが連続的に拡大していることにより、断面積が連続的に拡大していることを特徴とする請求項３に記載の携帯電子機器用スタンド。
【請求項５】
前記溝は、複数個所でＵ字形状に折れ曲がって延在していることを特徴とする請求項３または４に記載の携帯電子機器用スタンド。
【請求項６】
前記音波路は、第１音波路および第２音波路として、２組形成されていることを特徴とする請求項１乃至５の何れか一項に記載の携帯電子機器用スタンド。
【請求項７】
前記第１音波路の前記サウンドホールおよび前記第２音波路の前記サウンドホールは、前記機器装着部を左右両側から挟む位置に形成されていることを特徴とする請求項６に記載の携帯電子機器用スタンド。
【請求項８】
前記第１部材の前記第２部材との接合面および前記第２部材の前記第１部材との接合面のうちの一方には、前記第１音波路の前記溝と前記第２音波路の前記溝とを繋ぐ連通溝が形成されていることを特徴とする請求項６または７に記載の携帯電子機器用スタンド。
【請求項９】
前記第１部材および前記第２部材はいずれも木製であることを特徴とする請求項１乃至８の何れか一項に記載の携帯電子機器用スタンド。
【発明の詳細な説明】
【技術分野】
【０００１】
本発明は、携帯電子機器から出力された音声を拡音して出力する携帯電子機器用スタンドに関するものである。
【背景技術】
【０００２】
スマートフォン、携帯情報端末等の携帯電子機器は、音楽プレーヤーとしても着目されているが、携帯電子機器の音楽再生能力を高めることは、構造上、限界がある。かといって、携帯電子機器の出力をアンプで増幅して聴くという手法は、携帯電子機器という特質を損なってしまう。そこで、携帯電子機器から出力された音声を、音響箱を介して出力するボックス状の装置が提案されている（特許文献１参照）。
【先行技術文献】
【特許文献】
【０００３】
【特許文献１】特開２００５−１８４０５０号公報
【特許文献２】特開２０１２−１７５２５５号公報
【発明の概要】
【発明が解決しようとする課題】
【０００４】
しかしながら、特許文献１、２に記載のボックス状の装置では、多数の部材を組み合わせて音響箱を形成しているため、構造が複雑である。このため、製作に多大な手間がかかるとともに、前後方向のサイズが大きくなってしまう。
【０００５】
以上の問題点に鑑みて、本発明の課題は、携帯電子機器から出力された音声を拡音可能な携帯電子機器用スタンドにおいて、効率よく製作することができるとともに、薄型化を図ることもできる構成を提供することにある。
【課題を解決するための手段】
【０００６】
上記の課題を解決するために、本発明に係る携帯電子機器用スタンドは、携帯電子機器が装着される機器装着部が前面に形成された第１部材と、該第１部材の後面に接合された第２部材と、前記機器装着部において携帯電子機器のスピーカーホールと重なる位置に形成された開口部、該開口部から前記第１部材を貫通して前記第１部材と前記第２部材との接合面まで到達した貫通穴、該貫通穴に連通し、前記第１部材の前記第２部材との接合面および前記第２部材の前記第１部材との接合面のうちの少なくとも一方に形成された溝、および前記溝の端部に連通し、前記第１部材の前記前面で開口するサウンドホールを備えた音波路と、を有することを特徴とする。
【０００７】
本発明では、携帯電子機器が装着される機器装着部が前面に形成された第１部材と、第１部材の後面に接合された第２部材とを備え、第１部材と第２部材との界面に形成した溝を音波路の一部として利用する。このため、多数の部材を用いなくてもよいので、効率よく製作することができるとともに、薄型化を図ることもできる。
【０００８】
本発明において、前記溝は、前記第２部材の前記第１部材との接合面に形成されていることが好ましい。かかる構成によれば、第２部材の第１部材との接合面のみに溝を形成すればよいので、携帯電子機器用スタンドを効率よく製作することができる。
【０００９】
本発明において、前記溝は、前記貫通穴と連通する側から前記サウンドホールと連通する側に向かって断面積が連続的に拡大していることが好ましい。かかる構成によれば、溝
を音響室として機能させ、携帯電子機器から出力された音声を拡音して出力することができる。
【００１０】
本発明において、前記溝は、前記貫通穴と連通する側から前記サウンドホールと連通する側に向かって幅および深さが連続的に拡大していることにより、断面積が連続的に拡大していることが好ましい。かかる構成によれば、幅および深さの双方によって、溝の断面積を適正に設定することができる。
【００１１】
本発明において、前記溝は、複数個所でＵ字形状に折れ曲がって延在していることが好ましい。かかる構成によれば、携帯電子機器用スタンドを大型化しなくても、溝を長くすることができる。
【００１２】
本発明において、前記音波路は、第１音波路および第２音波路として、２組形成されていることが好ましい。かかる構成によれば、携帯電子機器用スタンドから音声をステレオフォニックに出力することができる。
【００１３】
本発明において、前記第１音波路の前記サウンドホールおよび前記第２音波路の前記サウンドホールは、前記機器装着部を左右両側から挟む位置に形成されていることが好ましい。かかる構成によれば、携帯電子機器用スタンドから音声をステレオフォニックに出力するのに適している。また、携帯電子機器用スタンド自身の意匠性や、携帯電子機器用スタンドに携帯電子機器を取り付けた状態での意匠性を高めることができる。
【００１４】
本発明において、前記第１部材の前記第２部材との接合面および前記第２部材の前記第１部材との接合面のうちの一方には、前記第１音波路の前記溝と前記第２音波路の前記溝とを繋ぐ連通溝が形成されていることが好ましい。かかる構成によれば、携帯電子機器用スタンドから出力される音質を向上することができる。
【００１５】
本発明において、前記第１部材および前記第２部材はいずれも木製であることが好ましい。かかる構成によれば、携帯電子機器用スタンド自身をインテリアとして飾っておくことができる。
【発明の効果】
【００１６】
本発明では、携帯電子機器が装着される機器装着部が前面に形成された第１部材と、第１部材の後面に接合された第２部材とを備え、第１部材と第２部材との界面に形成した溝を音波路の一部として利用する。このため、多数の板材を用いなくてもよいので、効率よく製作することができるとともに、薄型化を図ることもできる。
【図面の簡単な説明】
【００１７】
【図１】本発明を適用した携帯電子機器用スタンドの斜視図である。
【図２】本発明を適用した携帯電子機器用スタンドの分解斜視図である。
【図３】本発明を適用した携帯電子機器用スタンドの横断面図である。
【図４】本発明を適用した携帯電子機器用スタンドに形成した音波路を構成する各部分の説明図である。
【発明を実施するための形態】
【００１８】
以下に、図面を参照して、本発明を適用した携帯電子機器用スタンドを説明する。なお、以下の説明における「右側」および「左側」とは、携帯電子機器用スタンドの前面に向かった状態における左右を意味する。
【００１９】
（全体構成）
図１は、本発明を適用した携帯電子機器用スタンド１の斜視図であり、図１（ａ）、（ｂ）は、携帯電子機器用スタンド１を前方からみた斜視図、および携帯電子機器用スタンド１を後方からみた斜視図である。図２は、本発明を適用した携帯電子機器用スタンド１の分解斜視図であり、図２（ａ）、（ｂ）は、携帯電子機器用スタンド１を前方からみた分解斜視図、および携帯電子機器用スタンド１を後方からみた分解斜視図である。
【００２０】
図１に示す携帯電子機器用スタンド１は、スマートフォンや携帯情報端末等の携帯電子機器１０から出力された音声を拡音して出力する装置であり、携帯電子機器１０が装着される機器装着部２が前面６ａに形成された第１部材６と、第１部材６の後面６ｂに前面７ａが接着剤等により接合された第２部材７とを有している。第１部材６および第２部材７は、同一サイズの板材からなり、本形態において、第１部材６および第２部材７は、木製の矩形板からなる。携帯電子機器用スタンド１はそれ自身が自立可能であるとともに、機器装着部２に携帯電子機器１０を装着した状態でも、携帯電子機器用スタンド１は自立可能である。なお、第２部材７の後面７ｂは平坦面になっている。
【００２１】
機器装着部２は、第１部材６の前面６ａの左右方向の中央に形成された凹部２０からなり、凹部２０の上端は、第１部材６の上端まで届いて開放状態になっている。また、第１部材６は、凹部２０の左右の縁から凹部２０の前方に突き出た凸部６５ａ、６５ｂを有している。このため、携帯電子機器１０を上方から凹部２０（機器装着部２）に挿入すれば、携帯電子機器１０は、凹部２０（機器装着部２）に直立した姿勢で保持され、携帯電子機器１０の前傾は、凸部６５ａ、６５ｂによって阻止されている。本形態において、携帯電子機器１０の下面には、左右２個所にスピーカーホール１１ａ、１１ｂが開口している。
【００２２】
第１部材６の後面６ｂには、左右の端部に穴６１ａ、６１ｂが形成されており、第２部材７の前面７ａには、穴６１ａ、６１ｂと重なる位置に穴７１ａ、７１ｂが形成されている。かかる、穴６１ａ、６１ｂ、７１ａ、７１ｂは、第１部材６と第２部材７とを接着剤等により接合する際の位置決めに用いられる。
【００２３】
（第１音波路５ａおよび第２音波路５ｂの構成）
図３は、本発明を適用した携帯電子機器用スタンド１の横断面図である。図４は、本発明を適用した携帯電子機器用スタンド１に形成した第１音波路５ａおよび第２音波路５ｂを構成する各部分の説明図であり、図４（ａ）、（ｂ）、（ｃ）は、携帯電子機器用スタンド１に用いた第１部材６の正面図、第１部材６の背面図、および携帯電子機器用スタンド１に用いた第２部材７の正面図である。
【００２４】
図１〜図４に示すように、本形態の携帯電子機器用スタンド１には、左右２組の第１音波路５ａおよび第２音波路５ｂが形成されており、携帯電子機器１０のスピーカーホール１１ａ、１１ｂから出力された音声は、左右の第１音波路５ａおよび第２音波路５ｂを通して前方に拡大して出力される。
【００２５】
まず、右側の第１音波路５ａは、機器装着部２の底部２１において携帯電子機器１０の右側のスピーカーホール１１ａと重なる位置に形成された開口部５１ａと、開口部５１ａから第１部材６を貫通して第１部材６と第２部材７との接合面まで到達した貫通穴５２ａとを有している。また、第１音波路５ａは、第１部材６の第２部材７との接合面（後面６ｂ）および第２部材７の第１部材６との接合面（前面７ａ）のうちの少なくとも一方に形成された溝５３ａを有しており、溝５３ａの一方の端部５３１ａが貫通穴５２ａに連通している。また、第１音波路５ａは、第１部材６の前面６ａにおいて機器装着部２の右側で開口するサウンドホール５４ａを備えており、サウンドホール５４ａは、溝５３ａの他方の端部５３９ａと連通している。従って、第１音波路５ａは、開口部５１ａからサウンド
ホール５４ａまで連通している。サウンドホール５４ａの内側面は、第１部材６の後面６ｂの側から前面６ａの側に向かって拡径しており、サウンドホール５４ａの第１部材６の前面６ａにおける開口径は、第１部材６の後面６ｂにおける開口径より大になっている。
【００２６】
本形態において、溝５３ａは、第１部材６の第２部材７との接合面（後面６ｂ）および第２部材７の第１部材６との接合面（前面７ａ）のうち、第２部材７の第１部材６との接合面（前面７ａ）に形成されている。
【００２７】
図４（ｃ）に示すように、溝５３ａは、貫通穴５２ａに連通する端部５３１ａから複数の折れ曲がり部分を経由して右側に延在し、サウンドホール５４ａに連通する端部５３９ａまで延在している。具体的には、溝５３ａは、端部５３１ａから下方に延在する第１延在部分５３２ａと、第１延在部分５３２ａの下端部で上方にＵ字形状に折れ曲がった第１折り曲がり部分５３３ａと、第１折り曲がり部分５３３ａから上方に延在する第２延在部分５３４ａと、第２延在部分５３４ａの上端部で下方にＵ字形状に折れ曲がった第２折り曲がり部分５３５ａと、第２折り曲がり部分５３５ａから下方に延在する第３延在部分５３６ａと、第３延在部分５３６ａの下端部で上方にＵ字形状に折れ曲がった第３折り曲がり部分５３７ａと、第３折り曲がり部分５３７ａから端部５３９ａまで上方に延在する第４延在部分５３８ａとを有している。
【００２８】
ここで、溝５３ａは、貫通穴５２ａと連通する側の端部５３１ａからサウンドホール５４ａと連通する側の端部５３９ａに向かって断面積が連続的に拡大している。本形態において、溝５３ａは、端部５３１ａから端部５３９ａに向かって幅および深さが連続的に拡大していることにより、断面積が連続的に拡大している。
【００２９】
再び図１〜図４において、左側の第２音波路５ｂは、機器装着部２の底部２１において携帯電子機器１０の左側のスピーカーホール１１ｂと重なる位置に形成された開口部５１ｂと、開口部５１ｂから第１部材６を貫通して第１部材６と第２部材７との接合面まで到達した貫通穴５２ｂとを有している。また、第２音波路５ｂは、第１部材６の第２部材７との接合面（後面６ｂ）および第２部材７の第１部材６との接合面（前面７ａ）のうちの少なくとも一方に形成された溝５３ｂを有しており、溝５３ｂの一方の端部５３１ｂが貫通穴５２ｂに連通している。また、第２音波路５ｂは、第１部材６の前面６ａにおいて機器装着部２の左側で開口するサウンドホール５４ｂを備えており、サウンドホール５４ｂは、溝５３ｂの他方の端部５３９ｂと連通している。従って、第２音波路５ｂは、開口部５１ｂからサウンドホール５４ｂまで連通している。サウンドホール５４ｂの内側面は、第１部材６の後面６ｂの側から前面６ａの側に向かって拡径しており、サウンドホール５４ｂの第１部材６の前面６ａにおける開口径は、第１部材６の後面６ｂにおける開口径より大になっている。
【００３０】
本形態において、溝５３ｂは、溝５３ａと同様、第１部材６の第２部材７との接合面（後面６ｂ）および第２部材７の第１部材６との接合面（前面７ａ）のうち、第２部材７の第１部材６との接合面（前面７ａ）に形成されている。また、溝５３ｂは、溝５３ａに対して、機器装着部２を中心とする左右対称に形成されている。
【００３１】
従って、図４（ｃ）に示すように、溝５３ｂは、貫通穴５２ｂに連通する端部５３１ｂから複数の折れ曲がり部分を経由して左側に延在し、サウンドホール５４ｂに連通する端部５３９ｂまで延在している。具体的には、溝５３ｂは、端部５３１ｂから下方に延在する第１延在部分５３２ｂと、第１延在部分５３２ｂの下端部で上方にＵ字形状に折れ曲がった第１折り曲がり部分５３３ｂと、第１折り曲がり部分５３３ｂから上方に延在する第２延在部分５３４ｂと、第２延在部分５３４ｂの上端部で下方にＵ字形状に折れ曲がった第２折り曲がり部分５３５ｂと、第２折り曲がり部分５３５ｂから下方に延在する第３延
在部分５３６ｂと、第３延在部分５３６ｂの下端部で上方にＵ字形状に折れ曲がった第３折り曲がり部分５３７ｂと、第３折り曲がり部分５３７ｂから端部５３９ｂまで上方に延在する第４延在部分５３８ｂとを有している。また、溝５３ｂは、貫通穴５２と連通する側の端部５３１ｂからサウンドホール５４ｂと連通する側の端部５３９ｂに向かって断面積が連続的に拡大している。本形態において、溝５３ｂは、端部５３１ｂから端部５３９ｂに向かって幅および深さが連続的に拡大していることにより、断面積が連続的に拡大している。
【００３２】
ここで、第２部材７の前面７ａには、溝５３ａの端部５３１ａと溝５３ｂの端部５３１ｂとを繋ぐ連通溝５０が形成されている。
【００３３】
（本形態の主な効果）
以上説明したように、本形態の携帯電子機器用スタンド１は、携帯電子機器１０が装着される機器装着部２が前面に形成された第１部材６と、第１部材６の後面に接合された第２部材７と、機器装着部２に形成された開口部５１ａ、５１ｂと前面に形成されたサウンドホール５４ａ、５４ｂとを繋ぐ第１音波路５ａおよび第２音波路５ｂとを有している。このため、携帯電子機器１０を機器装着部２に装着した状態で携帯電子機器１０において音声を再生すれば、音声がサウンドホール５４ａ、５４ｂから出力される。また、機器装着部２を左右両側から挟む左右に第１音波路５ａおよび第２音波路５ｂが形成されているため、携帯電子機器用スタンド１から音声をステレオフォニックに出力することができる。
【００３４】
また、機器装着部２を左右両側から挟む左右に大径のサウンドホール５４ａ、５４ｂが形成されている。しかも、第１部材６および第２部材７は木製である。このため、携帯電子機器用スタンド１自身の意匠性や、携帯電子機器用スタンド１に携帯電子機器１０を取り付けた状態での意匠性を高めることができる。また、第１部材６および第２部材７は木製であるため、不要な反射等が発生しにくいので、音響性能を高めることができる。
【００３５】
ここで、携帯電子機器用スタンド１は、第１部材６と第２部材７との接合面に形成された溝５３ａ、５３ｂを第１音波路５ａおよび第２音波路５ｂの音響室（共鳴室）として利用する。それ故、本形態の携帯電子機器用スタンド１によれば、音楽再生能力等を高めることができる。また、ボックス状の音響室を区画形成する場合と違って、多数の部材を必要としない。従って、本形態の携帯電子機器用スタンド１は、効率よく製作することができるとともに、薄型化を図ることもできる。
【００３６】
また、溝５３ａ、５３ｂは、開口部５１ａ、５１ｂに貫通穴５２ａ、５２ｂを介して連通する端部５３１ａ、５３１ｂ側からサウンドホール５４ａ、５４ｂと連通する端部５３９ａ、５３９ｂ側に向かって断面積が連続的に拡大している。従って、溝５３ａ、５３ｂを音響室として機能させ、携帯電子機器１０から出力された音声を拡音して出力することができる。
【００３７】
また、溝５３ａ、５３ｂは、第２部材７の第１部材６との接合面（前面７ａ）に纏めて形成されている。従って、携帯電子機器用スタンド１を効率よく製作することができる。また、溝５３ａ、５３ｂを、開口部５１ａ、５１ｂに貫通穴５２ａ、５２ｂを介して連通する端部５３１ａ、５３１ｂ側からサウンドホール５４ａ、５４ｂと連通する端部５３９ａ、５３９ｂ側に向かって断面積が連続的に拡大している構成とする場合でも、溝加工の際、幅および深さを連続的に拡大させればよい。従って、所定形状の溝５３ａ、５３ｂを効率よく形成することができる。
【００３８】
また、溝５３ａ、５３ｂは、複数個所でＵ字形状に折れ曲がって延在しているため、携
帯電子機器用スタンド１を大型化しなくても、溝５３ａ、５３ｂを長くすることができる。それ故、第１音波路５ａおよび第２音波路５ｂの音響性能を高めることができる。
【００３９】
また、溝５３ａの端部５３１ａと溝５３ｂの端部５３１ｂとは、連通溝５０を介して繋がっている。このため、携帯電子機器１０のスピーカーホール１１ａ、１１ｂから出力された音声が第１音波路５ａおよび第２音波路５ｂで籠らないので、第１音波路５ａおよび第２音波路５ｂの音響性能を高めることができる。
【００４０】
（本発明の別の実施の形態）
上記実施の形態では、２組の音波路（第１音波路５ａおよび第２音波路５ｂ）が形成されていたが、音波路が１つの携帯電子機器用スタンドに本発明を適用してもよい。
【００４１】
上記実施の形態では、溝５３ａ、５３ｂが第２部材７の前面７ａに纏めて形成されていたが、溝５３ａ、５３ｂが第１部材６の後面６ｂに纏めて形成されている構成や、溝５３ａ、５３ｂが第２部材７の前面７ａおよび第１部材６の後面６ｂの双方に形成されている構成を採用してもよい。
【符号の説明】
【００４２】
１・・携帯電子機器用スタンド
２・・機器装着部
５ａ・・第１音波路
５ｂ・・第２音波路
６・・第１部材
６ａ・・前面
６ｂ・・後面
７・・第２部材
７ａ・・前面
７ｂ・・後面
１０・・携帯電子機器
１１ａ、１１ｂ・・スピーカーホール
２０・・凹部
５０・・連通溝
５１ａ、５１ｂ・・開口部
５２ａ、５２ｂ・・貫通穴
５３ａ、５３ｂ・・溝
５４ａ、５４ｂ・・サウンドホール
【図１】
2015109516.tif 000003
【図２】
2015109516.tif 000004
【図３】
2015109516.tif 000005
【図４】
2015109516.tif 000006